(57)【要約】【課題】電源のオフ指令があった後において着脱品が不適切に管理されることを抑制することが可能な画像処理装置を提供する。【解決手段】画像処理装置１は、装置本体２に着脱可能な着脱品２０を、当該装置本体から取り外されることを規制する規制状態と、その規制を解除した解除状態とに切り替え可能な規制部２Ａ，３５と、着脱品の取り外しを規制する規制条件が成立するかどうかを判定する条件判定部５０と、電源オフ指令があった場合、条件判定部に規制条件の判定をさせ、その判定結果に応じて規制部を規制状態及び解除状態のいずれかにした後に、装置本体を電源オフ状態にすることを許可する制御部５０と、を備える。【選択図】図４
2011232519.tif 000002
【特許請求の範囲】
【請求項１】
装置本体と、
前記装置本体に着脱可能に装着される着脱品を、当該装置本体から取り外されることを規制する規制状態と、その規制を解除した解除状態とに切り替え可能な規制部と、
前記着脱品の取り外しを規制する規制条件が成立するかどうかを判定する条件判定部と、
電源オフ指令があった場合、前記条件判定部に前記規制条件の判定をさせ、その判定結果に応じて前記規制部を前記規制状態及び前記解除状態のいずれかにした後に、前記装置本体を電源オフ状態にすることを許可する制御部と、を備える画像処理装置。
【請求項２】
請求項１に記載の画像処理装置であって、
前記装置本体に開閉可能に設けられるカバーと、
前記カバーが開状態であるかどうかを判定する開閉判定部と、を備え、
前記規制部は、前記カバーを閉状態から開状態にすることを規制することにより前記着脱品の取り外しを規制する構成であり、
前記制御部は、前記電源オフ指令があった場合、前記カバーが開状態であると前記開閉判定部が判定したことを条件に報知処理を実行する、画像処理装置。
【請求項３】
請求項２に記載の画像処理装置であって、
前記報知処理は、前記装置本体を電源オン状態とする処理である、画像処理装置。
【請求項４】
請求項１から請求項３のいずれか一項に記載の画像処理装置であって、
搬送経路を有し、シートを当該搬送経路に沿って搬送する搬送機構を備え、
前記着脱品は、前記搬送経路に装着される構成であり、
前記規制条件は、前記搬送機構によるシートの搬送中でないことであり、
前記制御部は、前記シートの搬送中でないと前記条件判定部が判定したことに応じて前記規制部を前記規制状態にし、前記シートの搬送中であると前記条件判定部が判定したことに応じて前記規制部を前記解除状態にする、画像処理装置。
【請求項５】
請求項１から請求項４のいずれか一項に記載の画像処理装置であって、
前記着脱品は、画像処理に使用する消耗品を収納する収納部を有し、
前記規制条件は、前記消耗品の残量が所定量以上であることであり、
前記制御部は、前記消耗品の残量が前記所定量以上であると前記条件判定部が判定したことに応じて前記規制部を前記規制状態にし、前記消耗品の残量が前記所定量未満であると前記条件判定部が判定したことに応じて前記規制部を前記解除状態にする、画像処理装置。
【請求項６】
請求項１から請求項５のいずれか一項に記載の画像処理装置であって、
前記制御部は、電源オン指令があったときに前記規制部が前記規制状態である場合には、前記判定部に前記消耗品の残量が所定量以上であるかどうかの判定をさせず、前記電源オン指令があったときに前記規制部が前記解除状態である場合には、前記判定部に前記判定をさせる、画像処理装置。
【請求項７】
請求項１から請求項６のいずれか一項に記載の画像処理装置であって、
前記制御部は、電源オン指令があった場合には、前記規制部を前記解除状態にする、画像処理装置。
【請求項８】
装置本体と、
前記装置本体に開閉可能に設けられるカバーと、
前記カバーが開状態であるかどうかを判定する開閉判定部と、
前記カバーを閉状態から開状態にすることを規制することにより前記着脱品の取り外しを規制する規制部と、
電源オフ指令があった場合、前記カバーが開状態であると前記開閉判定部が判定したことを条件に報知処理を実行する制御部と、を備える画像処理装置。
【請求項９】
請求項８に記載の画像処理装置であって、
前記報知処理は、前記装置本体を電源オン状態とする処理である、画像処理装置。
【発明の詳細な説明】
【技術分野】
【０００１】
本発明は、装置本体に着脱可能に装着される着脱品を、当該装置本体から取り外されることを規制する規制部を備える画像処理装置に関する。
【背景技術】
【０００２】
インクタンクを着脱可能に装着する周知のインクジェットプリンタの中には、例えば、インクタンクを、交換の必要性が生じるまで、キャリッジに固定して取り外し不能とするロック機構を備えるインクジェットプリンタがある（下記特許文献１参照）。ロック機構は、ソレノイドを備え、制御部から切り替え指令信号を受けた際にのみソレノイドを励磁してインクタンクの固定状態を解除する構成になっている。
【先行技術文献】
【特許文献】
【０００３】
【特許文献１】特開２００２−１９２７４９号公報
【発明の概要】
【発明が解決しようとする課題】
【０００４】
ところが、例えば上記インクジェットプリンタにおいて、仮に、電源のオフ指令を受けた場合にインクジェットプリンタの電源が即座にオフされるとすれば、その時点でロック機構は制御不能になるので、電源オフ後にインクタンクの取り外しを可能とすべきかどうかにかかわらず、インクタンクは電源のオフ指令があった直前の状態のままになってしまうなど、電源のオフ指令があった後においてインクタンクが不適切に管理されてしまうおそれがある。
【０００５】
すなわち、プリンタ、スキャナなどの画像処理装置であって、インクタンク、トナーカートリッジ、供給トレイ、ＵＳＢメモリなどの着脱品を着脱可能に装着する画像処理装置では、電源のオフ指令があった後において着脱品が不適切に管理されてしまう可能性がある。
【０００６】
本発明は上記のような事情に基づいて完成されたものであって、その目的は、電源のオフ指令があった後において着脱品が不適切に管理されることを抑制することが可能な画像処理装置を提供するところにある。
【課題を解決するための手段】
【０００７】
上記の目的を達成するための手段として、第１発明に係る画像処理装置は、装置本体と、前記装置本体に着脱可能に装着される着脱品を、当該装置本体から取り外されることを規制する規制状態と、その規制を解除した解除状態とに切り替え可能な規制部と、前記着脱品の取り外しを規制する規制条件が成立するかどうかを判定する条件判定部と、電源オフ指令があった場合、前記条件判定部に前記規制条件の判定をさせ、その判定結果に応じて前記規制部を前記規制状態及び前記解除状態のいずれかにした後に、前記装置本体を電源オフ状態にすることを許可する制御部と、を備える。
【０００８】
この発明によれば、電源オフ指令があった場合、装置本体を即座に電源オフするわけではなく、着脱品の取り外しを規制する規制条件が成立するかどうかを判定し、その判定結果に応じて着脱品の取り外しを規制した規制状態、及び、その規制を解除した解除状態のいずれかにした後に、装置本体を電源オフ状態にすることを許可する。従って、電源オフ指令があった後において着脱品が不適切に管理されることを抑制することが可能である。
【０００９】
第２の発明は、第１の発明の画像処理装置であって、前記装置本体に開閉可能に設けられるカバーと、前記カバーが開状態であるかどうかを判定する開閉判定部と、を備え、前記規制部は、前記カバーを閉状態から開状態にすることを規制することにより前記着脱品の取り外しを規制する構成であり、前記制御部は、前記電源オフ指令があった場合、前記カバーが開状態であると前記開閉判定部が判定したことを条件に報知処理を実行する。
【００１０】
電源オフ指令があった際、既にカバーが開状態であれば、たとえ着脱品の取り外しを規制すべき場合でも、その取り外しを規制することができない。そこで、この発明によれば、電源オフ指令があった場合、カバーが開状態であると判定したことを条件に、例えばカバーが開状態であることに関する報知処理を実行する。従って、この報知処理により、ユーザは、電源をオフすることによって着脱品の取り外しを規制できなくなることを把握することが可能になる。これにより、電源のオフ指令があった後において着脱品が不適切に管理されることを抑制することが可能である。
【００１１】
第３の発明は、第２の発明の画像処理装置であって、前記報知処理は、前記装置本体を電源オン状態とする処理である。
【００１２】
この発明によれば、電源オフ指令があっても装置本体を電源オン状態にすることにより、カバーが開状態にあり、このままでは着脱品が不適切に管理されるおそれがあることをユーザに報知することができる。
【００１３】
第４の発明は、第１から第３のいずれか一つの発明の画像処理装置であって、搬送経路を有し、シートを当該搬送経路に沿って搬送する搬送機構を備え、前記着脱品は、前記搬送経路に装着される構成であり、前記規制条件は、前記搬送機構によるシートの搬送中でないことであり、前記制御部は、前記シートの搬送中でないと前記条件判定部が判定したことに応じて前記規制部を前記規制状態にし、前記シートの搬送中であると前記条件判定部が判定したことに応じて前記規制部を前記解除状態にする。
【００１４】
この発明によれば、電源オフ指令があった場合、搬送機構によるシートの搬送中であるときには、規制部は解除状態となり、着脱品の取り外しが可能である。従って、着脱品を取り外してその近傍に詰まったシートを容易に取り除くことができる。
【００１５】
第５の発明は、第１から第４のいずれか一つの発明の画像処理装置であって、前記着脱品は、画像処理に使用する消耗品を収納する収納部を有し、前記規制条件は、前記消耗品の残量が所定量以上であることであり、前記制御部は、前記消耗品の残量が前記所定量以上であると前記条件判定部が判定したことに応じて前記規制部を前記規制状態にし、前記消耗品の残量が前記所定量未満であると前記条件判定部が判定したことに応じて前記規制部を前記解除状態にする。
【００１６】
この発明によれば、収納部に格納されている消耗品の残量が所定量以上であることを条件に規制部を規制状態とする一方で、消耗品の残量が所定量未満であることを条件に規制部を解除状態とする。即ち、消耗品の残量が少なくなった場合には、着脱品の取り外しが許容されるため、消耗品の補充や着脱品の交換を行うことができる。しかも、この場合に着脱品が盗難されたとしても、消耗品の残量は少ないので、盗難による損害を抑制することができる。
【００１７】
第６の発明は、第１から第５のいずれか一つの発明の画像処理装置であって、前記制御部は、電源オン指令があったときに前記規制部が前記規制状態である場合には、前記判定部に前記消耗品の残量が所定量以上であるかどうかの判定をさせず、前記電源オン指令があったときに前記規制部が前記解除状態である場合には、前記判定部に前記判定をさせる。
【００１８】
電源オン指令があった場合、規制部が規制状態であるときには、電源オフ中に消耗品の残量が変化する可能性は低い。一方、規制部が解除状態であるときには、例えば着脱品が盗難されたり、消耗品が少ない着脱品に不正に交換されたりするなど、消耗品の残量が変化する可能性が高い。そこで、この発明によれば、電源オン指令があったときに規制部が規制状態である場合には、消耗品の残量が所定量以上であるかどうかの判定をしないことにより、判定処理負担を軽減することができる。
【００１９】
第７の発明は、第１から第６のいずれか一つの発明の画像処理装置であって、前記制御部は、電源オン指令があった場合には、前記規制部を前記解除状態にする。
【００２０】
装置本体の電源がオンされれば、着脱品の取り外しの有無を検知するなど、着脱品の管理が可能になるため、その取り外しを規制する必要性は低い。そこで、この発明によれば、電源オン指令があった場合には、規制部を解除状態にすることにより、不要な規制を抑制することができる。
【００２１】
第８の発明に係る画像処理装置は、装置本体と、前記装置本体に開閉可能に設けられるカバーと、前記カバーが開状態であるかどうかを判定する開閉判定部と、前記カバーを閉状態から開状態にすることを規制することにより前記着脱品の取り外しを規制する規制部と、電源オフ指令があった場合、前記カバーが開状態であると前記開閉判定部が判定したことを条件に報知処理を実行する制御部と、を備える。
【００２２】
電源オフ指令があった際、既にカバーが開状態であれば、たとえ着脱品の取り外しを規制すべき場合でも、その取り外しを規制することができない。そこで、この発明によれば、電源オフ指令があった場合、カバーが開状態であると判定したことを条件に、例えばカバーが開状態であることに関する報知処理を実行する。従って、この報知処理により、ユーザは、電源をオフすることによって着脱品の取り外しを規制できなくなることを把握することが可能になる。これにより、電源のオフ指令があった後において着脱品が不適切に管理されることを抑制することが可能である。
【００２３】
第９の発明は、第８の発明の画像処理装置であって、前記報知処理は、前記装置本体を電源オン状態とする処理である。
【００２４】
この発明によれば、電源オフ指令があっても装置本体を電源オン状態にすることにより、カバーが開状態にあり、このままでは着脱品が不適切に管理されるおそれがあることをユーザに報知することができる。
【発明の効果】
【００２５】
本発明によれば、電源のオフ指令があった後において着脱品が不適切に管理されることを抑制することが可能である。
【図面の簡単な説明】
【００２６】
【図１】本発明の一実施形態に係るプリンタの概略構成を示す側断面図（カバーが閉状態、規制状態）
【図２】プリンタの概略構成を示す側断面図（カバーが開状態、解除状態）
【図３】プリンタの電気的構成を示すブロック図
【図４】電源オフ処理のフローチャート
【図５】電源オン処理のフローチャート
【発明を実施するための形態】
【００２７】
本発明の一実施形態について図１〜図５を参照して説明する。
（プリンタの全体構成）
図１，２は、本実施形態のプリンタ１（画像処理装置の一例）の概略構成を示す側断面図である。なお、以下の説明においては、図１，２の紙面左方向がプリンタ１の前方向であり、各図中ではＦ方向として示してある。また、プリンタ１は４色（ブラックＫ、イエローＹ、マゼンタＭ、シアンＣ）のトナーによりカラー画像を形成するカラープリンタであり、以下、各構成部品を色ごとに区別する場合には、その構成部品の符号末尾に各色を意味するＫ（ブラック）、Ｙ（イエロー）、Ｍ（マゼンタ）、Ｃ（シアン）を付すものとする。
【００２８】
プリンタ１は、ケーシング２（装置本体の一例）を備えており、ケーシング２の上面には開口部２Ｂ（図２参照）が形成され、その開口部２Ｂを塞ぐようにカバー２Ａが開閉可能に設けられている。ケーシング２の底部には、シート３（例えば用紙やＯＨＰシートなど）が積載される供給トレイ４が前方に引き出し可能に設けられている。
【００２９】
供給トレイ４の前端上方にはピックアップローラ５が設けられており、このピックアップローラ５の回転により、供給トレイ４内の最上位に積載されたシート３がレジストレーションローラ６へ送り出される。レジストレーションローラ６は、シート３の斜行補正を行った後、そのシート３を画像形成部１０のベルトユニット１１上へ搬送する。
【００３０】
画像形成部１０は、ベルトユニット１１、露光部１８、プロセス部１５、定着部３１などを備えている。
【００３１】
ベルトユニット１１（搬送機構の一例）は、前後一対のベルト支持ローラ１２間に、ポリカーボネート等からなる環状のベルト１３を張架した構成となっている。そして、後側のベルト支持ローラ１２が回転駆動されることにより、ベルト１３が図示時計周り方向に循環移動し、ベルト１３上面のシート３が後方へ搬送される。また、ベルト１３の内側には、後述するプロセス部１５の各感光体２８とベルト１３を挟んで対向する位置にそれぞれ転写ローラ１４が設けられている。
【００３２】
さらに、ベルトユニット１１の下側には、ベルト１３表面に付着したトナーや紙粉等を回収するクリーニング装置１７が設けられている。
【００３３】
露光部１８は、ブラック、イエロー、マゼンタ、シアンの各色に対応した４つのＬＥＤユニット１８Ｋ，１８Ｙ，１８Ｍ，１８Ｃを備えている。各ＬＥＤユニット１８は、図示しない支持機構によりカバー２Ａ下面に支持されており、その下端部にＬＥＤヘッド１９Ｋ，１９Ｙ，１９Ｍ，１９Ｃを有している。
【００３４】
ＬＥＤヘッド１９Ｋ，１９Ｙ，１９Ｍ，１９Ｃは、複数の発光素子（例えばＬＥＤ）が左右方向に一列に並んで配置されたものである。各発光素子は、形成すべき画像データに基づいて発光制御され、各発光素子から出射された光が感光体２８の表面に照射され、その表面が露光される。
【００３５】
プロセス部１５は、上記４色に対応した４つのプロセスカートリッジ２０Ｋ，２０Ｙ，２０Ｍ，２０Ｃ（着脱品の一例）を備えている。各プロセスカートリッジ２０Ｋ，２０Ｙ，２０Ｍ，２０Ｃは、カートリッジフレーム２１と、このカートリッジフレーム２１に対し着脱可能に装着される現像カートリッジ２２Ｋ，２２Ｙ，２２Ｍ，２２Ｃとを備えている。
【００３６】
図２に示すように、カバー２Ａを開放すると、各ＬＥＤユニット１８Ｋ，１８Ｙ，１８Ｍ，１８Ｃがカバー２Ａと共に退避して、各プロセスカートリッジ２０Ｋ，２０Ｙ，２０Ｍ，２０Ｃは、ケーシング２に対して着脱可能になる。なお、本実施形態では、上記ＬＥＤユニット１８Ｋ，１８Ｙ，１８Ｍ，１８Ｃ、プロセスカートリッジ２０Ｋ，２０Ｙ，２０Ｍ，２０Ｃ及び各転写ローラ１４により４組の形成部が構成される。
【００３７】
各現像カートリッジ２２は、各色のトナー（消耗品の一例）を収容するトナー収容室２３（収容部の一例）を備え、その下側に供給ローラ２４、現像ローラ２５、層厚規制ブレード２６、アジテータ２７等を備えている。
【００３８】
トナー収容室２３から放出されたトナーは、供給ローラ２４の回転により現像ローラ２５に供給され、供給ローラ２４と現像ローラ２５との間で正に摩擦帯電される。さらに、現像ローラ２５上に供給されたトナーは、現像ローラ２５の回転に伴って、層厚規制ブレード２６と現像ローラ２５との間に進入し、ここでさらに十分に摩擦帯電されて、一定厚さの薄層として現像ローラ２５上に担持される。
【００３９】
カートリッジフレーム２１の下部には、表面が正帯電性の感光層によって覆われた感光体２８と、スコロトロン型の帯電器２９とが設けられている。画像形成動作時には、感光体２８が回転駆動され、それに伴って感光体２８の表面が帯電器２９により一様に正帯電される。そして、その正帯電された部分が露光部１８により露光されて、感光体２８の表面にシート３に形成すべき画像に対応した静電潜像が形成される。
【００４０】
次いで、現像ローラ２５の回転により、現像ローラ２５上に担持され正帯電されているトナーが、感光体２８に対向して接触するときに、感光体２８の表面上に形成されている静電潜像に供給される。これにより、感光体２８の静電潜像が可視像化され、感光体２８の表面には露光部分にのみトナーが付着したトナー像が担持される。
【００４１】
その後、各感光体２８の表面上に担持されたトナー像は、ベルト１３によって搬送されるシート３が、感光体２８と転写ローラ１４との間の各転写位置を通る間に、転写ローラ１４に印加される負極性の転写電圧によって、シート３に順次転写される。こうしてトナー像が転写されたシート３は、次いで定着器３１に搬送される。
【００４２】
定着器３１は、熱源を有する加熱ローラ３１Ａと、シート３を加熱ローラ３１Ａ側へ押圧する加圧ローラ３１Ｂとを備えており、シート３上に転写されたトナー像を熱定着させる。そして、定着器３１により熱定着されたシート３は、排出ローラ３３を介して、カバー２Ａの上面へと排出される。なお、図１，２においてピックアップローラ５から排出ローラ３３までの太線部分がシート３の搬送経路Ｒである。
【００４３】
ケーシング２側には、カバー２Ａを閉状態で係止する係止機構３５が設けられている。具体的には、係止機構３５は、係止部材３６が係止姿勢と非係止姿勢とに変位可能にケーシング２側に支持された構成になっている。
【００４４】
係止部材３６は、係止姿勢のときに、閉状態のカバー２Ａの一部（図１ではカバー２Ａの揺動端側に設けられた被係止部２Ｃ）を係止し、これにより、カバー２Ａが閉状態から開状態になることが規制され、ケーシング２からプロセスカートリッジ２０が取り外されることが規制される（図１参照  以下、この状態を「規制状態」という）。
【００４５】
一方、係止部材３６が、非係止姿勢になると、カバー２Ａが閉状態から開状態になることが許容され、ケーシング２からプロセスカートリッジ２０が取り外されることが許容される（図２参照  以下、この状態を「解除状態」という）。即ち、カバー２Ａ及び係止機構３５により本発明でいう「規制部」を構成する。なお、係止機構３５は、後述する制御回路３７によって制御される。
【００４６】
（電気的構成）
図３は、プリンタ１の電気的構成を示すブロック図である。
プリンタ１は、制御回路３７、画像形成部１０、操作部３４、係止機構３５、カバー開閉センサ３９、トナーセンサ４０、電源部４１などを備えている。
【００４７】
制御回路３７は、ＣＰＵ５０（条件判定部、制御部、開閉判定部の一例）、ＲＯＭ５１、ＲＡＭ５２、ＮＶＲＡＭ５３などを備えている。ＲＯＭ５１には後述する電源オフ処理などを実行するためのプログラムが記憶されており、ＣＰＵ５０はＲＯＭ５１から読み出したプログラムを実行してプリンタ１の各部を制御する。
【００４８】
操作部３４は、ユーザがプリンタ１の電源オフ指令や電源オン指令を入力するための電源ボタン（ユーザが電源オフ指令や電源オン指令を入力することで直接的にスイッチ素子がオフ及びオンするハード・スイッチ型、ユーザが電源オフ指令や電源オン指令を入力することで例えばＣＰＵ５０が電気回路に対してオン及びオフを指示するソフト・スイッチ型のいずれでもよい）、各種の設定や指示を入力するための操作ボタンや、各種の情報を表示するための液晶ディスプレイなどで構成されている。
【００４９】
カバー開閉センサ３９（開閉判定部の一例）は上記カバー２Ａ側またはケーシング２側に設けられている。カバー開閉センサ３９は、例えば光学式、磁気式、接触式等のセンサであって、カバー２Ａの開閉を検知し、その検知結果に応じた検知信号を出力する。ＣＰＵ５０は、この検知信号に基づきカバー２Ａが開状態であるか閉状態であるかを判定する。このときＣＰＵ５０は「開閉判定部」として機能する。
【００５０】
トナーセンサ４０は、例えば光学式や接触式などのセンサであって、各現像カートリッジ２２に対応して設けられ、各トナー収容室２３内のトナーの残量に応じた検知信号、或いは、トナーの残量が所定量以下であるかどうかに応じた検知信号を出力する。ＣＰＵ５０は、この検知信号に基づき各トナー収容室２３のトナーの残量が所定量以下であるかどうかを判定する。
【００５１】
なお、ＣＰＵ５０は全ての現像カートリッジ２２を検知対象としてもよいし、一部の現像カートリッジ２２（例えば一般的に多く使用されるブラックの現像カートリッジ２２Ｋ）のみ検知対象としてもよい。
【００５２】
電源部４１は、主電源部４２及び補助電源部４３を有し、これらを選択的に有効化することができる。プリンタ１には図示しない電源コードがケーシング２から導出されており、主電源部４２は、コンセントからの電力を、電源コードを介して制御回路３７等に供給する（以下、主電源部４２が有効化された態様を「主電源モード」という）。
【００５３】
ユーザが電源オン指令を操作部３４にて入力すると、プリンタ１は、電源部４１を主電源モードにして起動し、画像形成部１０による画像形成動作を実行可能になる。
【００５４】
また、この主電源モード中は、ＣＰＵ５０が、カバー開閉センサ３９からの検知信号に基づきカバー２Ａが開状態であるかどうかを判定したり、トナーセンサ４０からの検知信号に基づきトナー収容室２３のトナーの残量が所定量以下であるかどうかを判定したりすることにより、プロセスカートリッジ２０の着脱の有無やトナー残量を管理（監視）することが可能である。このため、主電源モード中、ＣＰＵ５０は、係止部材３６を非係止姿勢にするよう係止機構３５を制御し、上記解除状態にしている。
【００５５】
補助電源部４３は、例えばバッテリーであって、有効化されると、自己に蓄積された電力を、制御回路３７等に供給する（以下、補助電源部４３が有効化された態様を「補助電源モード」という）。
【００５６】
なお、補助電源部４３は、主電源部４２が有効化されている間、当該主電源部４２が供給する電力によって充電される構成が好ましい。補助電源モード時の供給電力は、主電源モード時と同等でもよいが、本実施形態では、主電源モード時よりも少ない。より具体的には、次述する電源オフ処理を実行可能な程度の省電力が、当該電源オフ処理の実行に必要な構成要素（制御回路３７、係止機構３５等）だけに供給される。
【００５７】
また、本実施形態では、補助電源モード時に例えば画像形成部１０には供給されないので、主電源モードにて画像形成動作中に補助電源モードに切り替わった場合、画像形成動作が停止するために、シート３が搬送経路Ｒの途中で詰まってしまう場合がある。
【００５８】
（電源オフ処理）
図４は電源オフ処理のフローチャートである。主電源モード中において、ユーザが電源オフ指令を操作部３４にて入力すると、ＣＰＵ５０は、電源オフ処理を実行する。
【００５９】
ＣＰＵ５０は、まず電源部４１を補助電源モードに切り替えて（Ｓ１）、カバー開閉センサ３９からの検知信号に基づき、カバー２Ａが開状態であるかどうかを判定する（Ｓ３）。このときＣＰＵ５０は「開閉判定部」として機能する。
【００６０】
（１）カバー閉状態時
カバー２Ａが閉状態であると判定した場合には（Ｓ３：ＮＯ）、ＣＰＵ５０は、プロセスカートリッジ２０の取り外しを規制する規制条件が成立するかどうかを判定する。このときＣＰＵ５０は「条件判定部」として機能する。具体的には、まずトナーセンサ４０からの検知信号に基づきトナー収容室２３のトナー残量が所定量以上であること（規制条件の一例）が成立しているどうかを判定する（Ｓ５）。
【００６１】
全ての現像カートリッジ２２或いは特定の現像カートリッジ２２のトナー残量が所定量以上である場合には（Ｓ５：ＹＥＳ）、次にＣＰＵ５０は、シート３が上記搬送経路Ｒを搬送中でないこと（規制条件の一例）が成立しているかどうかを判定する（Ｓ７）。
【００６２】
例えば搬送経路Ｒ途中の１または複数の箇所にシート３を検知するシート検知センサ（図示せず）を配置して、ＣＰＵ５０が、このシート検知センサからの検知信号に基づきシート３の搬送中であるかどうかを判定してもよい。或いは、ＣＰＵ５０が、ピックアップローラ５により供給トレイ４内のシート３を送り出すタイミングから所定時間（例えば画像形成動作中においてシート３が上記搬送経路Ｒを通過するのに要すると想定される時間）経過するまでの期間を時間カウントにより把握し、電源オフ指令を受けたタイミングが同期間外であればシート３の搬送中でないと判定してもよい。
【００６３】
シート３の搬送中でない場合には（Ｓ７：ＹＥＳ）、ＣＰＵ５０は、係止部材３６を係止姿勢にするよう係止機構３５を制御する。このとき、カバー２Ａは閉状態であるので（Ｓ３：ＮＯ）、係止部材３６はカバー２Ａの被係止部２Ｃを係止し、上記規制状態にすることができる（Ｓ９）。その後、補助電源モードを停止し、プリンタ１を電源オフ状態にし（Ｓ１１）、本電源オフ処理を終了する。このときＣＰＵ５０は「制御部」として機能する。
【００６４】
電源オフ状態になると、ＣＰＵ５０は、起動しておらず、前述したカバー開閉センサ３９からの検知信号やトナーセンサ４０からの検知信号に基づきプロセスカートリッジ２０の着脱の有無やトナー残量を管理することができなくなる。しかし、上記規制状態にすることにより、ケーシング２内のプロセスカートリッジ２０を容易に取り外すことができなくなる。これにより、電源オフ状態になった後においてプロセスカートリッジ２０が容易に盗まれるなど、不適切に管理されることを抑制することができる。
【００６５】
一方、全ての現像カートリッジ２２のいずれか、或いは、特定の現像カートリッジ２２のトナー残量が所定量未満である場合には（Ｓ５：ＮＯ）、上記解除状態のままで補助電源モードを停止し、プリンタ１を電源オフ状態にし（Ｓ１１）、本電源オフ処理を終了する。
【００６６】
このようにトナー残量が所定量未満である場合には、電源オフ状態で、カバー２Ａを開状態にして、現像カートリッジ２２を新品のものに交換したり、現像カートリッジ２２にトナーを補充したりすることができる。また、このような場合に現像カートリッジ２２やプロセスカートリッジ２０が盗難されたとしても、トナー残量が少ないので、盗難による損害は比較的に小さい。
【００６７】
また、シート３の搬送中である場合も（Ｓ５：ＹＥＳ、且つ、Ｓ７：ＮＯ）、解除状態のままで補助電源モードを停止し、プリンタ１を電源オフ状態にし（Ｓ１１）、本電源オフ処理を終了する。
【００６８】
例えば画像形成動作の実行中にシート３が搬送経路Ｒ途中で詰まった場合、ユーザは、電源オフ指令を入力し、その詰まったシート３を除外する作業を行うことが多い。そこで、電源オフ指令が入力されたときにシート３の搬送中であった場合には、解除状態のままで電源オフ状態とすることにより、その電源オフ状態において、カバー２Ａを開状態にし、プロセスカートリッジ２０を取り外して、ベルトユニット１１近傍の搬送経路Ｒ途中に詰まったシート３を除去することができるようにしている。
【００６９】
（２）カバー開状態時
カバー２Ａが開状態である場合、係止部材３６を係止姿勢にしても被係止部２Ｃを係止できず、上記規制状態にすることができない。従って、仮に、このままプリンタ１が電源オフ状態になると、カバー開閉センサ３９からの検知信号やトナーセンサ４０からの検知信号に基づきプロセスカートリッジ２０の着脱の有無やトナー残量を管理することができない上に、プロセスカートリッジ２０をケーシング２から容易に取り外すことができてしまう。
【００７０】
そこで、カバー２Ａが開状態であると判定した場合には（Ｓ３：ＹＥＳ）、ＣＰＵ５０は、報知処理として、電源部４１を補助電源モードから主電源モードに復帰させて（Ｓ１３）、本電源オフ処理を終了する。ユーザは、電源オフ指令を行っても、主電源モードに復帰して電源オフ状態にならないことに基づき、このまま電源オフ状態にするとプロセスカートリッジ２０が不適切に管理されるおそれがあることを把握することができる。
【００７１】
なお、この電源オフ状態にしないことに代えて、或いは、それと共に、カバーが開状態であること、プロセスカートリッジ２０が不適切に管理されるおそれがあることなどを図示しない表示部に表示したり、ブザーなど図示しない発音装置を駆動したりすることによりユーザに報知する構成でもよい。
【００７２】
（電源オン処理）
図５は電源オン処理のフローチャートである。プリンタ１が電源オフ状態で、ユーザが電源オン指令を操作部３４にて入力すると、ＣＰＵ５０は、電源部４１を主電源モードにし、電源オン処理を実行する。
【００７３】
ＣＰＵ５０は、係止機構３５の状態に基づき規制状態であるかどうかを判定する（Ｓ２１）。解除状態であったとすると、電源オン指令が入力される前の電源オフ状態中において、プロセスカートリッジ２０の取り外しが許容されていたため、プロセスカートリッジ２０や現像カートリッジ２２が盗難されたり、トナーの収容量が少ない他のプロセスカートリッジ２０や現像カートリッジ２２に不正に交換されたりして、トナー残量が電源オフ前から変化するおそれがある。
【００７４】
そこで、解除状態であれば（Ｓ２１：ＮＯ）、ＣＰＵ５０は、トナーセンサ４０からの検知信号に基づきトナー残量判定を行って（Ｓ２５）、本電源オン処理を終了する。トナー残量判定としては、例えば、トナー残量が所定量以下であるかどうかや、トナー残量が電源オフ前と相違していないかどうかなどの判定を行う。そして、その判定結果を、例えば画像形成動作に反映させる。
【００７５】
一方、規制状態であったとすると、電源オフ状態中においてプロセスカートリッジ２０や現像カートリッジ２２が盗難されたりすることは抑制されるため、トナー残量が電源オフ前から変化する可能性は低い。
【００７６】
そこで、規制状態であれば（Ｓ２１：ＹＥＳ）、ＣＰＵ５０は、上記トナー残量判定を行わない。これにより、上記トナー残量判定のための処理負担を軽減することができる。そして、解除状態にして（Ｓ２３）本電源オン処理を終了する。前述したように電源オン状態になれば、プロセスカートリッジ２０の管理が可能になるため、その取り外しを規制する必要性は低い。そこで、解除状態にすることにより、不要な規制を抑制することができる。
【００７７】
（本実施形態の効果）
本実施形態によれば、電源オフ指令があった場合、プリンタ１を即座に電源オフするわけではなく、プロセスカートリッジ２０の取り外しを規制する規制条件が成立するかどうかを判定し、その判定結果に応じてプロセスカートリッジ２０の取り外しを規制した規制状態、及び、その規制を解除した解除状態のいずれかにした後に、プリンタ１を電源オフ状態にすることを許可する。従って、電源オフ指令があった後においてプロセスカートリッジ２０が不適切に管理されることを抑制することが可能である。
【００７８】
＜他の実施形態＞
本発明は上記記述及び図面によって説明した実施形態に限定されるものではなく、例えば次のような種々の態様も本発明の技術的範囲に含まれる。特に、各実施形態の構成要素のうち、最上位の発明の構成要素以外の構成要素は、付加的な要素なので適宜省略可能である。
【００７９】
（１）上記実施形態では、プリンタ１を例に挙げて説明したが、本発明の「画像処理装置」はこれに限られず、画像を処理する装置であればよい。例えば、印刷機能、スキャナ機能、ファクシミリ機能など、複数の機能を有する複合機でもよい。
【００８０】
また、スキャナ装置単体でもよく、この場合、例えば画像読取ヘッド等が着脱品に該当し得る。また、原稿自動送り機構を備えるスキャナ装置である場合、原稿の送り機構が「搬送機構」の一例であり、画像読取ヘッド等が「搬送経路に装着される着脱品」の一例である。更に、ファクシミリ装置単体でもよく、この場合、例えば記録紙や感熱紙などを収容する収容部等が着脱品に該当し得る。プリンタは、電子写真方式に限らず、インクジェット方式でもよい。
【００８１】
（２）上記実施形態では、露光部はＬＥＤ（発光ダイオード）を備えた構成であったが、これに限らず、ＥＬ（エレクトロ・ルミネッセンス）素子、蛍光体などの発光素子を多数配列しこれら発光素子を画像データに応じて選択的に発光させるもの、あるいは、液晶素子、ＰＬＺＴなどからなる光シャッタを多数配列し、これら光シャッタの開閉時間を画像データに応じて選択的に制御することにより、光源からの光を制御するものなどであってもよい。
【００８２】
（３）上記実施形態では、ケーシング２の上面の開口部を開閉させるカバー２Ａを例に挙げたが、本発明の「カバー」はこれに限られない。例えばケーシング２（装置本体）の側面（例えば前面）に、着脱品を着脱するための開口部が形成された構成において、その開口部を開閉可能に設けられたカバーでもよい。要するに、閉状態において装置本体から着脱品の取り外しを規制可能なものであればよい。
【００８３】
（４）上記実施形態では、プロセスカートリッジ２０を「着脱品」の例として挙げたが、本発明の「着脱品」はこれに限られない。現像カートリッジ２２単体、感光体カートリッジ単体、ベルトユニット１１、クリーニング装置１７、そのクリーニング装置１７によって回収されたトナーを収容するトナー回収ボックス単体や、供給トレイ４でもよい。更には、画像処理装置（プリンタ１）の構成部品に限らず、例えばＵＳＢメモリなどの可搬性メモリ、通信カードなどでもよく、要するにケーシング２に着脱可能に装着されるものであればよい。
【００８４】
（５）上記実施形態では、「消耗品」としてトナーを、「収容部」としてトナー収容室２３を例に挙げたが、本発明はこれに限られない。例えばインクジェットプリンタであれば、インクが「消耗品」の一例であり、インクタンクが「収容部」の一例である。また、「消耗品」はトナーやインクなどの着色剤に限らず、例えばシート３でもよい。この場合、供給トレイ４が「収容部」の一例である。
【００８５】
（６）上記実施形態では、カバー２Ａを閉状態から開状態にすることを規制することにより全てのプロセスカートリッジ２０がケーシング２から取り外されることを規制する構成を例に挙げたが、本発明の「規制部」はこれに限られない。プロセスカートリッジ２０が装着される装着部に当該プロセスカートリッジ２０や現像カートリッジ２２など（以下、「プロセスカートリッジ２０等」という）の取り外しを規制する規制機構を設けてもよい。
【００８６】
この規制機構は、複数のプロセスカートリッジ２０等の取り外しをまとめて規制するものでも、プロセスカートリッジ２０等の各々の取り外しを個別に規制するものでもよい。なお、規制方法は、例えばロック機構など、公知の各種の技術を利用することができる。
【００８７】
（７）上記実施形態では、プロセスカートリッジ２０が搬送経路Ｒの側方に配置される構成であったが、本発明でいう「搬送経路に装着される着脱品」はこれに限られない。例えば感光体と転写体を含むプロセスカートリッジなど、シートの搬送経路を跨ぐように配置されるものでもよい。
【００８８】
（８）上記電源オフ処理では、補助電源モードに切り替えた（Ｓ１）後にカバーが開状態かどうかを判定（Ｓ３）したが、本発明はこれに限らず、これらの実行順序を入れ替えてもよい。この場合、カバーが閉状態である場合に限り補助電源モードに切り替わる。更に、トナー残量の判定（Ｓ５）とシート搬送の判定（Ｓ７）の実行順序を入れ替えてもよい。
【００８９】
（９）上記実施形態において、例えば光学式、磁気式、接触式等のセンサであって、ケーシング２内にプロセスカートリッジ２０が装着されているかどうかを検知し、その検知結果に応じた検知信号を出力するカートリッジセンサを設けてもよい。そして、ＣＰＵ５０は、電源オン状態中や、電源オン処理のＳ２５において、この検知信号に基づきプロセスカートリッジ２０の装着の有無を判定してプロセスカートリッジ２０を管理してもよい。
【００９０】
なお、ＣＰＵ５０は、各プロセスカートリッジ２０の装着の有無を個別に判定してもよいし、全プロセスカートリッジ２０のうち少なくともいずれか１つが装着されていないかどうかを判定してもよい。
【００９１】
（１０）上記実施形態の電源オフ処理中、規制条件の判定等（Ｓ５、Ｓ７）を行わず、Ｓ３、Ｓ９、Ｓ１１、Ｓ１３だけを行う構成でもよい。即ち、電源オフ指令があった場合、カバーが開状態であると判定したことを条件に、例えばカバーが開状態であることに関する報知処理を実行する。従って、この報知処理により、ユーザは、電源をオフすることによって着脱品の取り外しを規制できなくなることを把握することが可能になる。これにより、電源のオフ指令があった後において着脱品が不適切に管理されることを抑制することが可能である。
【００９２】
上記実施形態では、電源オフ指令があった場合に、主電源モードから補助電源モードに切り替えて、カバー２Ａの開閉判定やトナー残量の判定等（図４のＳ３、Ｓ５、Ｓ７、Ｓ９）を実行した後にプリンタ１を電源オフ状態にする構成であったが、本発明はこれに限られない。
【００９３】
例えば電源オフ指令があった場合に、電源部４１の主電源部４２を停止させずに、主電源モード時よりも供給電力を低下させた省電力モードに切り替えて、カバー２Ａの開閉判定やトナー残量の判定等（図４のＳ３、Ｓ５、Ｓ７、Ｓ９）を実行した後にプリンタ１を電源オフ状態にする構成でもよい。即ち、電源オフ指令があった直後にプリンタ１を電源オフ状態にするのではなく、電源オフ指令があった後にプリンタ１を所定時間電源オン状態に保ち、所定時間後に電源オフ状態にする構成であればよい。
【符号の説明】
【００９４】
１...プリンタ
２...ケーシング
２Ａ...カバー
３...シート
１１...ベルトユニット
２０...プロセスカートリッジ
２３...トナー収容室
３９...カバー開閉センサ
３５...係止機構
５０...ＣＰＵ
【図１】
2011232519.tif 000003
【図２】
2011232519.tif 000004
【図３】
2011232519.tif 000005
【図４】
2011232519.tif 000006
【図５】
2011232519.tif 000007